(57)【特許請求の範囲】
【請求項１】
第１方向に第１領域部分、第２領域部分及び第３領域部分を有し、第２領域部分は、第２の１領域部分及び第２の２領域部分に分割され、第２の１領域部分は、第１領域部分に連結されるが、第２の２領域部分及び第３領域部分とは分離され、第２の２領域部分は、第１領域部分に谷折り可能に連結されかつ第３領域部分に連結されるが、第２の１領域部分とは分離されるように形成された１枚の板を用いて構成され、
第１領域部分及び第２の１領域部分が、座板となり、
第２の２領域部分及び第３領域部分が、座板から立ち上がり、上縁にてマスクの本体部を掛止する立板となり、
第１領域部分及び第２の１領域部分のそれぞれに形成される切り起こしが、マスクの左右の耳掛けを掛止する一対の掛止片となる
マスクスタンド。
【請求項２】
一対の掛止片は、マスクの耳掛けに張力を付与した状態で耳掛けを掛止する
請求項１に記載のマスクスタンド。
【請求項３】
一対の掛止片は、掛止凹部を備える
請求項１又は請求項２に記載のマスクスタンド。
【発明の詳細な説明】
【技術分野】
【０００１】
本発明は、不織布マスクや布マスク等のマスクを一時的に保管するためのマスクスタンドに関する。
【背景技術】
【０００２】
使用したマスクを一時的に保管するものとして、マスクを収容するケースが知られている（特許文献１ないし３）。特許文献１に記載のケースによれば、抗菌性を有する紙製の保護シートでマスクを挟み込むことにより、マスクを衛生的に取り扱うことができるとされる。また、特許文献２に記載のケースによれば、極力手を触れずに簡単な操作でマスクを収容しかつ再び取り出すことができるため、マスクを衛生的に取り扱うことができるとされる。特許文献３に記載のケースによれば、雑菌の繁殖を抑える銅箔をマスクに接触させることにより、マスクを衛生的に取り扱うことができるとされる。
【先行技術文献】
【特許文献】
【０００３】
【特許文献１】登録実用新案第３２２２１０３号公報
【特許文献２】特開２０１２−１１０３５号公報
【特許文献３】特開２０１２−６１２８８号公報
【発明の概要】
【発明が解決しようとする課題】
【０００４】
しかし、上記いずれのものも、ケースということで、マスクは湿気を帯びた状態で密閉され、カビや菌が繁殖しやすくなっており、決して衛生的であるとは言えない。
【０００５】
そこで、本発明は、かかる事情に鑑みてなされたもので、使用したマスクを衛生的かつ簡単に一時保管することができるマスクスタンドを提供することを課題とする。
【課題を解決するための手段】
【０００６】
本発明に係るマスクスタンドは、
２つの領域部分を有する座板と、
２つの領域部分の境界から立ち上がり、上縁にてマスクの本体部を掛止する立板と、
各領域部分から立ち上がり、マスクの左右の耳掛けを掛止する一対の掛止片とを備える
マスクスタンドである。
【０００７】
そして、本発明に係るマスクスタンドは、
第１方向に第１領域部分、第２領域部分及び第３領域部分を有し、第２領域部分は、第２の１領域部分及び第２の２領域部分に分割され、第２の１領域部分は、第１領域部分に連結されるが、第２の２領域部分及び第３領域部分とは分離され、第２の２領域部分は、第１領域部分に谷折り可能に連結されかつ第３領域部分に連結されるが、第２の１領域部分とは分離されるように形成された１枚の板を用いて構成され、
第１領域部分及び第２の１領域部分が座板となり、
第２の２領域部分及び第３領域部分が立板となり、
第１領域部分及び第２の１領域部分のそれぞれに形成される切り起こしが一対の掛止片となるものである。
【０００８】
また、本発明に係るマスクスタンドの他態様として、
一対の掛止片は、マスクの耳掛けに張力を付与した状態で耳掛けを掛止する
との構成を採用することができる。
【０００９】
また、本発明に係るマスクスタンドの別の態様として、
一対の掛止片は、掛止凹部を備える
との構成を採用することができる。
【発明の効果】
【００１０】
以上のように、本発明によれば、マスクは、密閉されず、風通しの良い開放空間に置かれるため、カビや菌が繁殖しにくい。このため、本発明によれば、使用したマスクを衛生的に一時保管することができる。
【００１１】
また、本発明によれば、立板の上縁にマスクの本体部を置き、マスクの左右の耳掛けを一対の掛止片に引っ掛けるだけで、セットが完了する。このため、本発明によれば、使用したマスクを簡単に一時保管することができる。
【図面の簡単な説明】
【００１２】
【図１】図１は、本発明の一実施形態に係るマスクスタンドの一方向から見た斜視図である。
【図２】図２は、同マスクスタンドの反対方向から見た斜視図である。
【図３】図３は、同マスクスタンドの展開図である。
【図４】図４は、同マスクスタンドの使用状態を示す斜視図である。
【発明を実施するための形態】
【００１３】
以下、本発明に係るマスクスタンドの一実施形態について、図面を参酌して説明する。
【００１４】
図１及び図２に示すように、マスクスタンド１は、座板２と、立板３と、一対の掛止片４，５とを備える。座板２は、矩形状の領域部分（一方の領域部分）２Ａと、この領域部分２Ａの３箇所から櫛歯状に延出する領域部分（他方の領域部分）２Ｂの２つの領域部分２Ａ，２Ｂを有し、床、机、テーブル等の平面に載置される。立板３は、座板２の２つの領域部分２Ａ，２Ｂの境界から立ち上がり、マスクの本体部の内面の幅方向の中心線に沿って曲線状の上縁３ａを有し、上縁３ａにてマスクの本体部を掛止する。一対の掛止片４，５は、座板２の各領域部分２Ａ，２Ｂから立ち上がり、マスクの左右の耳掛けを掛止する。
【００１５】
座板２は、立板３を挟むようにして、立板３の一方の面側に位置する領域部分（一方の領域部分）２Ａと、立板３の他方の面側に位置する領域部分（他方の領域部分）２Ｂとを有するため、立板３が倒れるのを防止する。
【００１６】
立板３は、上縁３ａを有する本体部３Ａと、脚部３Ｂとを備える。脚部３Ｂは、本体部３Ａよりも幅狭で、本体部３Ａの側縁よりも内側に位置する。本実施形態においては、脚部３Ｂは、２本であり、互いに離間し、立板３の中心線に対して線対称に配置される。
【００１７】
一方の掛止片４は、立板３の一方の面側に位置する領域部分（一方の領域部分）２Ａから立ち上がる切り起こしである。他方の掛止片５は、立板３の他方の面側に位置する領域部分（他方の領域部分）２Ｂから立ち上がる切り起こしである。一対の掛止片４，５は、立板３から等距離の位置に配置される。言い換えれば、立板３は、一対の掛止片４，５の中間位置に配置される。各掛止片４，５は、フック形状を有し、上方に向かって凹となる掛止凹部４ａ，５ａを備える。各掛止片４，５は、曲げたり、ひねったりできる可撓性ないし柔軟性を有する。
【００１８】
座板２、立板３及び一対の掛止片４，５は、それぞれ透明な合成樹脂板で構成される。あるいは、色付きの合成樹脂板、金属板、紙等であってもよい。要は、マスクを掛止可能な剛性を有するものであれば、どのような材質の板であってもよい。図３に示すように、座板２、立板３及び一対の掛止片４，５は、アクリル板といった合成樹脂板等の１枚の板１０を用いて構成される。すなわち、マスクスタンド１は、立板３及び一対の掛止片４，５を倒すと、１枚の板１０になる。
【００１９】
板１０は、第１方向に長い矩形状であり、第１方向（板１０の長手方向）に並ぶ第１領域部分１１、第２領域部分１２及び第３領域部分１３を有する。すなわち、第１領域部分１１は、板１０の第１方向の一端部であり、第２領域部分１２は、第１領域部分１１と隣り合う部分であり、第３領域部分１３は、第２領域部分１２と隣り合う部分であって、板１０の第１方向の他端部を含む部分である。第１領域部分１１、第２領域部分１２及び第３領域部分１３は、第１方向と直交する第２方向（板１０の幅方向）に沿った境界を有する。このため、第１領域部分１１、第２領域部分１２及び第３領域部分１３は、それぞれ矩形状である。なお、板１０の第１方向の他端部の端縁１０ａは、立板３の上縁３ａとなる部分であり、曲線状である。
【００２０】
第２領域部分１２は、第２の１領域部分１２Ａ及び第２の２領域部分１２Ｂを有する。第２の１領域部分１２Ａは、第１領域部分１１に連結されるが、第２の２領域部分１２Ｂ及び第３領域部分１３とは表裏を貫通する切込線１４により分離される。第２の２領域部分１２Ｂは、第１領域部分１１及び第３領域部分１３に連結されるが、第２の１領域部分１２Ａとは表裏を貫通する切込線１４により分離される。第２の２領域部分１２Ｂと第１領域部分１１との境界は、谷折り可能な谷折り線１５となっている。
【００２１】
第１領域部分１１及び第２の１領域部分１２Ａが座板２となる。より詳しくは、第１領域部分１１が座板２の一方の領域部分２Ａとなり、第２の１領域部分１２Ａが座板２の他方の領域部分２Ｂとなる。
【００２２】
第２の２領域部分１２Ｂ及び第３領域部分１３が立板３となる。より詳しくは、第２の２領域部分１２Ｂが立板３の脚部３Ｂとなり、第３領域部分１３が立板３の本体部３Ａとなる。
【００２３】
第１領域部分１１に形成された切り起こし１６が一方の掛止片４となる。第２の１領域部分１２Ａに形成された切り起こし１７が他方の掛止片５となる。切り起こし１６は、第１領域部分１１の第２方向の中央部に形成される。切り起こし１７は、第２の１領域部分１２Ａの中央部、より詳しくは、第２の１領域部分１２Ａのうち、第２方向の中央部に位置する部分に形成される。切り起こし１６の先端部は、第１領域部分１１の第１方向の端縁に接する。切り起こし１７の先端部は、第２の１領域部分１２Ａの第１方向の端縁に接する。これにより、各切り起こし１６，１７は、第１方向の端縁から第１領域部分１１及び第２領域部分１２の境界に向かって起こされ、各切り起こし１６，１７の基端に設定される谷折り線１８，１９にて谷折りにされて、立ち上げられる。
【００２４】
本実施形態に係るマスクスタンド１は、以上の構成からなる。使用したマスクを一時的に保管するにあたっては、図４に示すように、まず、立板３の上縁３ａに（マスク２０の本体部２１の内面の幅方向の中心線が重なるようにして）マスク２０の本体部２１を置き、次に、マスク２０の左右の耳掛け２２，２２を一対の掛止片４，５に引っ掛ける。これにより、マスクスタンド１へのマスク２０のセットが完了する。
【００２５】
なお、立板３の上縁３ａから掛止片４，５の掛止凹部４ａ，５ａまでの距離は、マスク２０の本体部２１の幅方向の中心線から耳掛け２２の折り返し端までの距離よりも長くなるように設定されている。このため、一対の掛止片４，５は、マスク２０の耳掛け２２，２２に張力を付与した状態で耳掛け２２，２２を掛止する。そうすると、マスク２０の本体部２１に対しては、左右均等に張力が働くため、立板３は、直立姿勢に維持される。このため、立板３が谷折り線１５を境として弾性復元力により倒れようとしていても、立板３のきれいな直立姿勢を維持することができる。
【００２６】
このように、本実施形態に係るマスクスタンド１によれば、マスク２０は、密閉されず、風通しの良い開放空間に置かれるため、カビや菌が繁殖しにくい。このため、使用したマスク２０を衛生的に一時保管することができる。
【００２７】
また、本実施形態に係るマスクスタンド１によれば、立板３の上縁３ａにマスク２０の本体部２１を置き、マスク２０の左右の耳掛け２２，２２を一対の掛止片４，５に引っ掛けるだけで、セットが完了する。このため、使用したマスク２０を簡単に一時保管することができる。
【００２８】
また、本実施形態に係るマスクスタンド１によれば、マスクスタンド１とマスク２０の本体部２１が接触するのは、立板３の上縁３ａのみである。すなわち、マスク２０の本体部２１の内面は、立板３の上縁３ａと線接触するのみである。このため、ケースタイプのものに比べて、常にマスク２０の本体部２１の内面を清潔に保つことができる。
【００２９】
また、本実施形態に係るマスクスタンド１によれば、マスクスタンド１を使用しないときは、１枚のフラットな板に展開することができる。このため、マスクスタンド１を使用しないときは、場所を取らずに片付けることができ、また、簡単に携行することもできる。
【００３０】
なお、本発明は、上記実施形態に限定されるものではなく、本発明の要旨を逸脱しない範囲で種々の変更が可能である。
【００３１】
たとえば、上記実施形態においては、マスクスタンド１は、１枚の板を用いて構成される。しかし、本発明は、これに限定されるものではない。立板は、倒れないように座板に固定される構造であってもよい。
【００３２】
また、上記実施形態においては、第２領域部分１２は、第２方向に、１つ目の第２の１領域部分１２Ａ、１つ目の第２の２領域部分１２Ｂ、２つ目の第２の１領域部分１２Ａ、２つ目の第２の２領域部分１２Ｂ、３つ目の第２の１領域部分１２Ａを有するものであり、これに伴い、座板２の他方の領域部分２Ｂには、３本の櫛歯が設けられるとともに、立板３の脚部３Ｂは、２本設けられる。しかし、本発明において、これらの数に限定されるものではない。たとえば一例として、第２領域部分は、第２方向に、１つ目の第２の２領域部分、１つ目の第２の１領域部分、２つ目の第２の２領域部分を有するものであり、これに伴い、座板の他方の領域部分には、１本が設けられるとともに、立板の脚部は、２本設けられるようにすることができる。
【００３３】
また、上記実施形態においては、切り起こし１６，１７は、一部（先端部）が領域部分１１，１２の端縁に接するように形成される。しかし、本発明は、これに限定されるものではない。切り起こしは、領域部分の端縁に接しない内側領域に形成されるようにしてもよい。
【符号の説明】
【００３４】
１…マスクスタンド、２…座板、２Ａ…一方の領域部分、２Ｂ…他方の領域部分、３…立板、３ａ…上縁、３Ａ…本体部、３Ｂ…脚部、４，５…掛止片、４ａ，５ａ…掛止凹部、１０…板、１０ａ…端縁、１１…第１領域部分、１２…第２領域部分、１２Ａ…第２の１領域部分、１２Ｂ…第２の２領域部分、１３…第３領域部分、１４…切込線、１５…谷折り線、１６，１７…切り起こし、１８，１９…谷折り線、２０…マスク、２１…本体部、２２…耳掛け
【要約】
【課題】使用したマスクを衛生的かつ簡単に一時保管することができるマスクスタンドを提供する。
【解決手段】本発明に係るマスクスタンド１は、２つの領域部分２Ａ，２Ｂを有する座板２と、２つの領域部分２Ａ，２Ｂの境界から立ち上がり、上縁３ａにてマスク２０の本体部２１を掛止する立板３と、各領域部分２Ａ，２Ｂから立ち上がり、マスク２０の左右の耳掛け２２，２２を掛止する一対の掛止片４，５とを備える。これにより、マスク２０は、密閉されず、風通しの良い開放空間に置かれるため、カビや菌が繁殖しにくく、衛生的である。
【選択図】図４【図１】
0006791488.tif 000002
【図２】
0006791488.tif 000003
【図３】
0006791488.tif 000004
【図４】
0006791488.tif 000005